(57)【要約】  本発明は、マトリックス・ビューイング表示装置（２）と、そのうちの１つが少なくとも変換レンティキュラ・アレイ（３）と呼ばれる２つのレンティキュラ・アレイの組とを含む、２次元モードと３次元モードとの間で切替可能なオートステレオスコピック・ビューイング・デバイス（１）に関する。レンティキュラ・アレイは、前記ビューイング表示装置（２）の前に配置される。変換レンティキュラ・アレイ（３）は、前記ビューイング表示装置（２）によって放たれるラスタ・イメージを受け取り、光学的に処理するように設計される。前記オートステレオスコピック・ビューイング・デバイスは、さらに、第１レンティキュラ・アレイと第２レンティキュラ・アレイまたはビューイング表示装置との間の複数の距離を変更する手段（５）を含む。本発明は、コンピュータ表示装置または３次元テレビジョン・セットに特に有用である。
2009500649.tif 000002
【特許請求の範囲】
【請求項１】
マトリックス表示画面（２）と、少なくとも１つのいわゆるレンティキュラ変換ネットワーク（３）を含む１組のレンティキュラ・ネットワークとからなる、２次元表示モードと３次元表示モードとの間での切り替えが可能なオートステレオスコピック表示デバイス（１）であって、
前記レンティキュラ・ネットワークは、前記表示画面（２）の前に配置され、前記レンティキュラ変換ネットワーク（３）は、前記表示画面（２）によって送られるマトリックス・イメージを受け取り、光学的に処理するように配置され、
一方では第１レンティキュラ・ネットワークと、他方では第２レンティキュラ・ネットワークまたは前記表示画面との間の複数の距離を変更する手段（５）を含むことをさらに特徴とする
オートステレオスコピック表示デバイス。
【請求項２】
レンティキュラ・ネットワークの前記組は、単一のいわゆるレンティキュラ変換ネットワーク（３）を含むことを特徴とする請求項１に記載のオートステレオスコピック表示デバイス。
【請求項３】
レンティキュラ・ネットワークの前記組は、前記表示画面（２）の前に配置されたいわゆるレンティキュラ変換ネットワーク（３）と、前記表示画面（２）と前記レンティキュラ変換ネットワーク（３）との間に配置された第２のいわゆるレンティキュラ・スイッチング・ネットワーク（４）とからなり、前記レンティキュラ・スイッチング・ネットワーク（４）および前記レンティキュラ変換ネットワーク（３）のレンティキュールは、向かい合って位置合せされることを特徴とする請求項１に記載のオートステレオスコピック表示デバイス。
【請求項４】
前記レンティキュラ・スイッチング・ネットワークの前記レンティキュールのカバリング・パワーＣ４は、前記レンティキュラ変換ネットワークの前記レンティキュールのカバリング・パワーＣ３と反対の符号であるが同一の絶対値を有する（Ｃ３＝−Ｃ４）ことを特徴とする請求項３に記載のデバイス。
【請求項５】
前記レンティキュラ・ネットワークは、前記表示画面（２）の垂直軸に関して同一の角度アルファ≧０に従って傾けられたレンティキュラ軸を有することを特徴とする請求項１乃至４のいずれか一項に記載のデバイス。
【請求項６】
前記表示画面（２）は、電子プラズマ画面を含むことを特徴とする前記請求項のいずれか一項に記載のデバイス。
【請求項７】
前記表示画面（２）は、電子液晶（ＬＣＤ）画面を含むことを特徴とする請求項１乃至５のいずれか一項に記載のデバイス。
【請求項８】
距離を変更する前記手段（５）は、圧電モーターを含むことを特徴とする請求項１乃至７のいずれか一項に記載のデバイス。
【請求項９】
距離を変更する前記手段（５）は、電気モーターを含むことを特徴とする請求項１乃至７のいずれか一項に記載のデバイス。
【請求項１０】
距離を変更する前記手段（５）は、ねじ型または押しボタン型の機械的移動手段を含むことを特徴とする請求項１乃至７のいずれか一項に記載のデバイス。
【請求項１１】
前記請求項のいずれか一項に記載のデバイス内で実施される、オートステレオスコピック表示方法であって、
マトリックス表示画面（２）上で同一シーンのＰ個のショットを一体化するマトリックス・イメージを符号化するステップと、
１組のレンティキュラ・ネットワークによってマトリックス・イメージを受け取り、光学的に処理するステップと、
２次元モードと３次元モードとの間での、前記表示画面上での前記マトリックス・イメージ符号化の変化を含む、２次元表示モードと３次元表示モードとの間での切り替えを行うステップであって、前記表示モード間の前記切替が、一方では第１レンティキュラ・ネットワークと、他方では第２レンティキュラ・ネットワークまたは前記表示画面との間の複数の距離の変更をも含むことを特徴とする、ステップと
を含む方法。
【請求項１２】
レンティキュラ・ネットワークの前記組が変換ネットワークと呼ばれる単一のレンティキュラ・ネットワークを含むオートステレオスコピック表示デバイス内で実施され、２次元表示モードと３次元表示モードとの間の前記切替は、前記レンティキュラ変換ネットワークの前記レンティキュールの焦点距離の２倍に実質的に等しい前記表示画面（２）からの距離への前記レンティキュラ変換ネットワーク（３）の移動を含む２次元表示モードに切り替えることからなることを特徴とする請求項１１に記載の方法。
【請求項１３】
レンティキュラ・ネットワークの前記組が変換ネットワークと呼ばれる単一のレンティキュラ・ネットワークを含むオートステレオスコピック表示デバイス内で実施され、２次元表示モードと３次元表示モードとの間の前記切替は、実質的に０と等しい前記表示画面（２）からの距離への前記レンティキュラ変換ネットワーク（３）の移動を含む２次元表示モードに切り替えることからなることを特徴とする請求項１１に記載の方法。
【請求項１４】
レンティキュラ・ネットワークの前記組が変換ネットワークと呼ばれる単一のレンティキュラ・ネットワークを含むオートステレオスコピック表示デバイス内で実施され、２次元表示モードと３次元表示モードとの間の前記切替は、前記レンティキュラ変換ネットワークの前記レンティキュールの焦点距離と実質的に等しい前記表示画面（２）からの距離への前記レンティキュラ変換ネットワーク（３）の移動を含む３次元表示モードに切り替えることからなることを特徴とする請求項１１に記載の方法。
【請求項１５】
レンティキュラ・ネットワークの前記組が、前記表示画面（２）の前に配置されたいわゆるレンティキュラ変換ネットワーク（３）、並びに、前記表示画面（２）と前記レンティキュラ変換ネットワーク（３）との間に配置された、いわゆるレンティキュラ・スイッチング・ネットワーク（４）を含み、前記レンティキュラ・スイッチング・ネットワーク（４）および前記レンティキュラ変換ネットワーク（３）のレンティキュールが、向かい合って位置合せされるオートステレオスコピック表示デバイス内で実施される、請求項１１に記載の方法。
【請求項１６】
２次元表示モードと３次元表示モードとの間の前記切替は、同一の光学的空間内で前記レンティキュラ変換ネットワークの焦点面が前記レンティキュラ・スイッチング・ネットワークの焦点面に実質的に合併されるようにするための、少なくとも１つのレンティキュラ・ネットワークの移動を含む２次元表示モードに切り替えることからなることを特徴とする請求項１５に記載の方法。
【請求項１７】
２次元表示モードと３次元表示モードとの間の前記切替は、レンティキュラ変換ネットワークおよびレンティキュラ・スイッチング・ネットワークを含む光学系によって形成される焦点面が前記表示画面に実質的に合併されるようにするための、少なくとも１つのレンティキュラ・ネットワークの移動を含む３次元表示モードに切り替えることからなることを特徴とする請求項１５に記載の方法。
【請求項１８】
前記レンティキュラ・スイッチング・ネットワークの前記レンティキュールのカバリング・パワーＣ４は、前記レンティキュラ変換ネットワークの前記レンティキュールのカバリング・パワーＣ３と反対の符号であるが同一の絶対値を有する（Ｃ３＝−Ｃ４）ことを特徴とする請求項１５乃至１７のいずれか一項に記載の方法。
【請求項１９】
２次元表示モードと３次元表示モードとの間の前記切替は、前記レンティキュラ変換ネットワーク（３）が実質的に０と等しい前記レンティキュラ・スイッチング・ネットワーク（４）からの距離にあるようにするための、少なくとも１つのレンティキュラ・ネットワークの移動を含む２次元表示モードに切り替えることからなることを特徴とする請求項１８に記載の方法。
【請求項２０】
２次元表示モードと３次元表示モードとの間の前記切替は、
前記レンティキュラ変換ネットワーク（３）が、前記レンティキュラ変換ネットワークの前記レンティキュールの焦点距離と実質的に等しい前記表示画面（２）からの距離にあり、
前記レンティキュラ変換ネットワーク（３）が、前記レンティキュラ変換ネットワークの前記レンティキュールの焦点距離と実質的に等しい前記レンティキュラ・スイッチング・ネットワーク（４）からの距離にある
ようにするための、少なくとも１つのレンティキュラ・ネットワークの移動を含む３次元表示モードに切り替えることからなることを特徴とする請求項１８に記載の方法。
【発明の詳細な説明】
【技術分野】
【０００１】
本発明は、２つの表示モード、すなわち、見る人が画面を２次元イメージとして知覚する通常の２Ｄモードと、見る人の２つの目がオートステレオスコピック画面からくる異なる情報を受け取り、したがって、見る人に立体の印象を与える３Ｄモードとの間で切り替えることができるオートステレオスコピック表示デバイスに関する。本発明は、２Ｄ表示モードと３Ｄ表示モードとの間で切り替えることができる表示デバイスを用いて実施される方法にも関する。
【０００２】
したがって、本発明は、例えば、広告または情報を公衆に放送するか情報またはエンターテイメント・コンテンツを表示することを意図された、３次元カラー表示されるイメージまたはコンピュータ画面、もしくは、テレビジョン画面に関する。
【背景技術】
【０００３】
現在、眼鏡なしのオートステレオスコピック表示用のデバイスを作る方法が知られている。これらのデバイスは、例えば液晶テクノロジまたはプラズマ・テクノロジに基づく２次元画面と、その２次元画面から短い距離に配置された２Ｄ−３Ｄ変換画面からなる。この変換画面は、例えば、不透明の微細な帯および透明の微細な帯の交番からなるパララックス・バリヤ（ｐａｒａｌｌａｘ  ｂａｒｒｉｅｒ）、または、互いに平行な半円柱レンズの層を含むレンティキュラ（ｌｅｎｔｉｃｕｌａｒ）ネットワークのいずれかからなるものとすることができる。
【０００４】
変換画面は、オートステレオスコピック表示デバイスを見る人の右目および左目に異なる情報を送ることを可能にする、２次元画面の画素の角度選択を可能にし、２次元表示画面の連続する画素が同一シーンの角度的に僅かにオフセットしたショットを符号化する場合に、見る人に立体の印象を与える。２次元画面上で符号化される異なるショットの枚数は、オートステレオスコピック表示デバイスの構成要素の幾何学的特性および物理的特性に依存する。
【０００５】
しかし、そのようなオートステレオスコピック・デバイスは、不利益を有する。見る人は、観察される物体が実際には奥行きを伴わないイメージである場合であっても、立体の印象を有する。したがって、見る人の目の筋肉は、見る人の脳が反対の印象を有する場合であっても、異なる焦点面を観察するために動くことはなく、これが、疲労および頭痛の原因になる可能性がある。
【０００６】
したがって、２つの表示モード、すなわち、２Ｄ表示モードと３Ｄ表示モードとの間で切り替えることができるオートステレオスコピック表示デバイスを提案することが有益であるはずである。
【０００７】
そのようなデバイスが、欧州特許出願第ＥＰ  １４０１２１６  Ａ２号、名称「Ａｕｔｏｓｔｅｒｅｏｓｃｏｐｉｃ  ｄｉｓｐｌａｙ」に記載されている。３Ｄモードから２Ｄモードに切り替えるために、発明者は、オートステレオスコピック表示デバイスからパララックス・バリヤを除去し、したがって、２つの別々の物体、すなわち、２次元表示デバイスおよび未使用パララックス・バリヤを得ることを提案している。
【０００８】
そのようなデバイスが、米国特許出願第ＵＳ  ０５５００７６５  Ａ号、名称「Ｃｏｎｖｅｒｔｉｂｌｅ  ２Ｄ／３Ｄ  ａｕｔｏｓｔｅｒｅｏｓｃｏｐｉｃ  ｄｉｓｐｌａｙ」にも記載されている。この場合に、オートステレオスコピック・デバイスの変換画面は、レンティキュラ・ネットワークである。３Ｄ表示モードから２Ｄ表示モードに切り替えるために、変換画面に、変換画面の影響を補償する第２レンティキュラ画面を配置することが提案され、この第２レンティキュラ画面は、当初に、たとえばヒンジ系によって離される。したがって、このデバイスによれば、
−３Ｄ表示モードでは、オートステレオスコピック表示デバイスの表示画面によって送られるイメージが、見る人の目に達する前に変換画面だけを通過し、第２レンティキュラ画面は離され、−２Ｄ表示モードでは、第２レンティキュラ画面が、変換画面に接して配置される。
【０００９】
上で説明した２つのデバイスは、２Ｄ表示モードと３Ｄ表示モードとの間で切り替えるために、ユーザが画面を除去し、または追加しなければならないという意味で、コンパクトではない。
【特許文献１】欧州特許出願第ＥＰ  １４０１２１６  Ａ２号
【特許文献２】米国特許出願第ＵＳ  ０５５００７６５  Ａ号
【発明の開示】
【発明が解決しようとする課題】
【００１０】
本発明の課題は、２つの表示モード、すなわち、２Ｄ表示モードと３Ｄ表示モードとの間で切り替えることができるコンパクトなオートステレオスコピック表示デバイスを提案することである。
【課題を解決するための手段】
【００１１】
この課題は、マトリックス表示画面と、少なくとも１つのいわゆるレンティキュラ変換ネットワークを含む１組のレンティキュラ・ネットワークとからなる、２次元表示モードと３次元表示モードとの間での切り替えが可能なオートステレオスコピック表示デバイスであって、レンティキュラ・ネットワークは、前記表示画面の前に配置され、前記レンティキュラ・ネットワークは、前記表示画面によって送られるマトリックス・イメージを受け取り、光学的に処理するように配置され、
第１レンティキュラ・ネットワークと第２レンティキュラ・ネットワークまたは表示画面との間の複数の距離を変更する手段をも含むことを特徴とする
オートステレオスコピック表示デバイスを用いて達成される。
【００１２】
第１実施形態では、レンティキュラ・ネットワークの組は、単一の、いわゆるレンティキュラ変換ネットワークを含むことができる。
【００１３】
第２実施形態では、レンティキュラ・ネットワークの組は、前記表示画面の前の、いわゆるレンティキュラ変換ネットワークと、表示画面とレンティキュラ変換ネットワークとの間に配置された第２の、いわゆるレンティキュラ・スイッチング・ネットワークとを含むことができ、レンティキュラ・スイッチング・ネットワークおよびレンティキュラ変換ネットワークのレンティキュール（ｌｅｎｔｉｃｕｌｅ）は、向かい合って位置合せされる。レンティキュラ・スイッチング・ネットワークのレンティキュールのカバリング・パワーＣ４は、レンティキュラ変換ネットワークのレンティキュールのカバリング・パワーＣ３と反対の符号を有するが、同一の絶対値を有する（Ｃ３＝−Ｃ４）ことができる。
【００１４】
レンティキュラ・ネットワークは、表示画面の垂直軸に関して同一の角度アルファ≧０に従って傾けられたレンティキュラ軸を有することができる。
【００１５】
表示画面としては、電子プラズマ画面、電子液晶（ＬＣＤ）画面、または任意の他のマトリックス・テクノロジに基づく画面を含むことができる。
【００１６】
距離を変更する手段は、圧電モーター、電気モーター、あるいは、ねじ型または押しボタン型の機械的移動手段を含むことができる。
【００１７】
本発明のもう１つの態様によれば、本発明によるデバイス内で実施される、オートステレオスコピック表示方法であって、
−マトリックス表示画面上で同一シーンのＰ個のショットを一体化するマトリックス・イメージを符号化するステップと、
−１組のレンティキュラ・ネットワークによってマトリックス・イメージを受け取り、光学的に処理するステップと、
−２次元モードと３次元モードとの間での、表示画面上でのマトリックス・イメージ符号化の変化を含む、２次元表示モードと３次元表示モードとの間での切り替えを行うステップとを含み、
表示モードの間の切替が、第１レンティキュラ・ネットワークと第２レンティキュラ・ネットワークまたは表示画面との間の複数の距離の変更をも含むことを特徴とする
方法が提案される。
【００１８】
第１実施形態では、この方法を、レンティキュラ・ネットワークの組が、前記表示画面によって送られるマトリックス・イメージを受け取り、光学的に処理するように配置された１つだけの、いわゆるレンティキュラ変換ネットワークを含むオートステレオスコピック表示デバイスについて実施することができる。この第１の態様では、２次元表示モードと３次元表示モードとの間の切替は、
−レンティキュラ変換ネットワークのレンティキュールの焦点距離の２倍に実質的に等しい表示画面距離へのレンティキュラ変換ネットワークの移動を含む２次元表示モードへの切替、
−実質的に０と等しい表示画面距離へのレンティキュラ変換ネットワークの移動を含む２次元表示モードへの切替、または、
−レンティキュラ変換ネットワークのレンティキュールの焦点距離と実質的に等しい表示画面距離へのレンティキュラ変換ネットワークの移動を含む３次元表示モードへの切替
からなるものとすることができる。
【００１９】
第２実施形態では、この方法を、レンティキュラ・ネットワークの組が、前記表示画面の前に配置された、いわゆるレンティキュラ変換ネットワークならびに表示画面とレンティキュラ変換ネットワークとの間に配置された、第２のいわゆるレンティキュラ・スイッチング・ネットワークを含み、レンティキュラ・スイッチング・ネットワークおよびレンティキュラ変換ネットワークのレンティキュールが向かい合って位置合せされるオートステレオスコピック表示デバイスについて実施することができる。この第２の態様では、２次元表示モードと３次元表示モードとの間の切替を、
−同一の光学的空間内でレンティキュラ変換ネットワークの焦点面がレンティキュラ・スイッチング・ネットワークの焦点面に実質的に合併されるようにするための、少なくとも１つのレンティキュラ・ネットワークの移動を含む２次元表示モードに切り替えること、または
−レンティキュラ変換ネットワークおよびレンティキュラ・スイッチング・ネットワークを含む光学系によって形成される焦点面が表示画面に実質的に合併されるようにするための、少なくとも１つのレンティキュラ・ネットワークの移動を含む３次元表示モードに切り替えること
からなるものとすることができる。
【００２０】
この第２実施形態の特定の事例では、レンティキュラ・スイッチング・ネットワークのレンティキュールのカバリング・パワーＣ４は、レンティキュラ変換ネットワークのレンティキュールのカバリング・パワーと反対の符号であるが同一の絶対値を有する（Ｃ３＝−Ｃ４）ことができる。この特定の場合に、２次元表示モードと３次元表示モードとの間の切替は、レンティキュラ変換ネットワーク（３）が実質的に０と等しいレンティキュラ・スイッチング・ネットワーク（４）からの距離にあるようにするための、少なくとも１つのレンティキュラ・ネットワークの移動を含む２次元表示モードへの切替からなるものとすることができる。また、この特定の場合に、２次元表示モードと３次元表示モードとの間の切替は、
−レンティキュラ変換ネットワーク（３）が、レンティキュラ変換ネットワークのレンティキュールの焦点距離と実質的に等しい表示画面（２）からの距離にあり、
−レンティキュラ変換ネットワーク（３）が、レンティキュラ変換ネットワークのレンティキュールの焦点距離と実質的に等しいレンティキュラ・スイッチング・ネットワーク（４）からの距離にある
ようにするための、少なくとも１つのレンティキュラ・ネットワークの移動を含む３次元表示モードへの切替からなるものとすることができる。
【００２１】
本発明の他の利益および特徴は、決して限定的ではない実施形態の詳細な説明および添付図面を考察することによって明確になる。
【発明を実施するための最良の形態】
【００２２】
まず、図１を参照して、本発明によるオートステレオスコピック表示デバイスの例を説明する。
【００２３】
オートステレオスコピック表示デバイス１は、マトリックス表示画面２および１組のレンティキュラ・ネットワークを含む。この組は、前記表示画面２の前の距離ｇに配置された、少なくとも１つのいわゆるレンティキュラ変換ネットワーク３を含む。
【００２４】
レンティキュラ変換ネットワーク３は、表示画面２によって送られるマトリックス・イメージを受け取り、光学的に処理するように配置され、このマトリックス・イメージは、同一シーンの複数Ｐ個の視点を一体化するために符号化され、この表示画面２は、それぞれが３つのカラー・セルを含む画面画素のマトリックスを含む。３次元モードでは、オートステレオスコピック表示デバイスを見る人の左目ＬＥおよび右目ＲＥが、異なる情報を受け取り、したがって、見る人に立体の印象を与える。レンティキュラ変換ネットワークのレンティキュールの焦点距離を、ｆと表す。
【００２５】
表示デバイス１は、第１レンティキュラ・ネットワークと第２レンティキュラ・ネットワークまたは表示画面との間の複数の距離を変更する手段５を含む。したがって、レンティキュラ・ネットワークおよび表示画面を、互いに関して、単独で、または共に移動することができ、これによって、異なる表示モードの間で切り替えることが可能になる。
【００２６】
表示画面２は、符号化されたイメージを生成する電子モジュール６に接続される。
【００２７】
ネットワークの組合せに、表示画面２とレンティキュラ変換ネットワーク３との間に配置された、第２のいわゆるレンティキュラ・スイッチング・ネットワーク４をも含めることができる。この組合せが、レンティキュラ・スイッチング・ネットワーク４を含む場合に、レンティキュラ・スイッチング・ネットワーク４およびレンティキュラ変換ネットワーク３のレンティキュールは、向かい合って位置合せされ、レンティキュラ・スイッチング・ネットワーク４のレンティキュールは、カバリング・パワーＣ４を有し、レンティキュラ変換ネットワーク３のレンティキュールは、カバリング・パワーＣ３を有する。レンティキュラ・スイッチング・ネットワーク４とレンティキュラ変換ネットワーク３との間の距離をｅと表す時に、レンティキュラ・スイッチング・ネットワーク４およびレンティキュラ変換ネットワーク３によって形成される系の総合カバリング・パワーＣＧを、距離ｅに従って変更することができる。表示画面２とレンティキュラ・スイッチング・ネットワーク４との間の距離を、ｄと表す。
【００２８】
このレンティキュラ・スイッチング・ネットワーク４は、複数の動作位置を有しており、このことが、オートステレオスコピック表示デバイス１を、２Ｄ表示モードと３Ｄ表示モードとの間で切り替えることを可能にしている。
【００２９】
図２に、単一のレンティキュラ・ネットワークを含むオートステレオスコピック表示デバイスの３Ｄ表示モードを示す。この図は、レンティキュラ変換ネットワークのレンティキュールの焦点距離ｆと実質的に等しい距離ｇだけ離隔された表示画面２、および、レンティキュラ変換ネットワーク３を示す。このモードでは、レンティキュラ変換ネットワーク３は、２次元画面の画素を角度的に選択し、これは、オートステレオスコピック表示デバイスを見る人の左目および右目に異なる情報を送り、したがって、見る人に立体の印象を与えることを可能にする。
【００３０】
図３に、単一のレンティキュラ・ネットワークを含む本発明によるオートステレオスコピック表示デバイスの、−１と等しい倍率を有する２Ｄ表示モードを示す。この図は、レンティキュラ変換ネットワークのレンティキュールの焦点距離ｆの２倍と実質的に等しい距離ｇだけ離隔された表示画面２、および、レンティキュラ変換ネットワーク３を示す。この場合に、イメージが、正しく読まれるフレーム（ｒｉｇｈｔ−ｒｅａｄｉｎｇ  ｆｒａｍｅ）で見られる場合に、このイメージを、レンティキュールのスケールで、表示画面の誤って読まれるフレーム（ｗｒｏｎｇ−ｒｅａｄｉｎｇ  ｆｒａｍｅ）内に符号化しなければならない。
【００３１】
図４に、単一のレンティキュラ・ネットワークを含む本発明によるオートステレオスコピック表示デバイスの、１の倍率を有する２Ｄ表示モードを示す。この図は、実質的に０と等しい距離ｇだけ離隔された表示画面２およびレンティキュラ変換ネットワーク３を示す。
【００３２】
図５に、図１と同様に、変換ネットワーク３およびスイッチング・ネットワーク４の２つのレンティキュラ・ネットワークと表示画面２とを含む、本発明によるオートステレオスコピック表示デバイスの３Ｄ表示モードを示す。レンティキュラ・スイッチング・ネットワーク４のレンティキュールのカバリング・パワーＣ４が、レンティキュラ変換ネットワーク３のレンティキュールのカバリング・パワーＣ３と反対である、すなわちＣ４＝−Ｃ３である特定の場合を検討する。この図では、レンティキュラ・スイッチング・ネットワーク４の位置は、ｅ≒ｆかつｄ≒０になるようになっている。この位置では、レンティキュラ・スイッチング・ネットワーク４は、レンティキュラ変換ネットワーク３の焦点面上にあり、したがって、その影響は０である。表示画面も、変換ネットワーク３の焦点面上にあり、この変換ネットワーク３は、表示画面２によって送られるマトリックス・イメージを受け取り、光学的に処理する。スイッチング・ネットワークが、表示画面に押し付けられる時に、距離ｅは、ｆ、すなわち、レンティキュラ変換ネットワークのレンティキュールの焦点距離とほぼ等しい値を有し、これらのレンティキュラ・ネットワークによって形成される系の総合カバリング・パワーＣＧは、Ｃ３と等しい。
１／ｆ＝Ｃ３なので、ＣＧ＝Ｃ３＋Ｃ４−ｅ＊Ｃ３＊Ｃ４＝Ｃ３＋Ｃ４−ｆ＊Ｃ３＊Ｃ４＝Ｃ３
【００３３】
この場合に、オートステレオスコピック表示デバイス１は、３Ｄ表示モードである。
【００３４】
この例は、レンティキュラ変換ネットワーク、および、レンティキュラ・スイッチング・ネットワークを含む光学系によって形成される焦点物体平面が、実質的に表示画面に合併される特定の場合を示すものである。
【００３５】
図６に、図１と同様に、変換ネットワーク３およびスイッチング・ネットワークの２つのレンティキュラ・ネットワークと表示画面２とを含む、本発明によるオートステレオスコピック表示デバイスの２Ｄ表示モードを示す。レンティキュラ・スイッチング・ネットワーク４のレンティキュールのカバリング・パワーＣ４が、レンティキュラ変換ネットワーク３のレンティキュールのカバリング・パワーＣ３と反対である、すなわちＣ４＝−Ｃ３である特定の場合を検討する。この図では、レンティキュラ・スイッチング・ネットワーク４の位置は、ｅ≒０かつｄ≒ｆになるようになっている。実際には、２つのレンティキュラ・ネットワークが一緒に連結されることだけが重要であり、表示画面に関するレンティキュラ・ネットワークの対の位置は、ほとんど重要性を有しない。この位置では、レンティキュラ・スイッチング・ネットワーク４は、反対のカバリング・パワーを有するレンティキュラ変換ネットワーク３に押し付けられ、その影響が、互いに打ち消し合う。その場合に、表示デバイスは、概略的に、その前に２つの平行の面を有する板がある表示画面からなる。スイッチング・ネットワークが変換ネットワークに押し付けられる時に、ｅは０であり、これらのレンティキュラ・ネットワークによって形成される系の総合カバリング・パワーＣＧは、０と等しい。
ｅ＝０かつＣ３＝−Ｃ４なので、ＣＧ＝Ｃ３＋Ｃ４−ｅ＊Ｃ３＊Ｃ４＝０
【００３６】
この場合に、オートステレオスコピック表示デバイス１は、２Ｄ表示モードである。
【００３７】
この例は、レンティキュラ変換ネットワークの焦点物体平面が、実質的にレンティキュラ・スイッチング・ネットワークの焦点像平面に合併される特定の場合を示すものである。
【００３８】
実用的な実施形態では、
−表示画面は、ＰＩＯＮＥＥＲ社のプラズマ画面ＰＤＰ５０ＭＸＥ１であり、その画素のそれぞれは、赤、緑、および青の３つの色付きセルからなり、このセルは、水平に位置合せされ、各セルは、２８６μｍの幅および８０８μｍの高さを有し、
−レンティキュラ変換ネットワークは、互いに平行でありプラズマ画面の垂直軸に平行である凸半円柱レンズのネットワークである。このレンティキュラ・ネットワークは、プラズマ画面の前でレンティキュールすなわち半円柱レンズの焦点長ｆ＝９ｍｍに実質的に等しい距離に置かれ、
−レンティキュラ・スイッチング・ネットワークは、互いに平行でありプラズマ画面の垂直軸に平行である凹半円柱レンズのネットワークである。そのレンティキュールの焦点距離は、変換ネットワークのレンティキュールの焦点距離と反対であり、
−第１レンティキュラ・ネットワークと第２レンティキュラ・ネットワークまたは表示画面との間の複数の距離を変更する手段は、電気モーターおよび回転運動を直線運動に変換する機械式デバイスである。
【００３９】
もちろん、本発明は、上で説明した例に限定されず、多数の変更を、本発明の範囲を超えずにこれらの例に対して行うことができる。具体的には、本発明を、他のタイプのマトリックス構造、または、第１レンティキュラ・ネットワークと第２レンティキュラ・ネットワークまたは表示画面との間の複数の距離を変更する他の手段と共に実施することができる。
【図面の簡単な説明】
【００４０】
【図１】本発明によるオートステレオスコピック表示デバイスを示す全般的な図である。
【図２】レンティキュラ・ネットワークを含む従来技術によるオートステレオスコピック表示デバイスの３Ｄ表示モードを示す図である。
【図３】レンティキュラ・ネットワークを含む本発明によるオートステレオスコピック表示デバイスの、−１と等しい倍率を有する２Ｄ表示モードを示す図である。
【図４】レンティキュラ・ネットワークを含む本発明によるオートステレオスコピック表示デバイスの、１の倍率を有する２Ｄ表示モードを示す図である。
【図５】２つのレンティキュラ・ネットワークを含む本発明によるオートステレオスコピック表示デバイスの３Ｄ表示モードを示す図である。
【図６】２つのレンティキュラ・ネットワークを含む本発明によるオートステレオスコピック表示デバイスの２Ｄ表示モードを示す図である。
【図１】
2009500649.tif 000003
【図２】
2009500649.tif 000004
【図３】
2009500649.tif 000005
【図４】
2009500649.tif 000006
【図５】
2009500649.tif 000007
【図６】
2009500649.tif 000008
【手続補正書】
【提出日】平成11年6月14日(1999.6.14)
【手続補正１】
【補正対象書類名】明細書
【補正対象項目名】特許請求の範囲
【補正方法】変更
【補正の内容】
【特許請求の範囲】
【請求項１】
マトリックス表示画面（２）と少なくとも１つのいわゆるレンティキュラ変換ネットワーク（３）を含む１組のレンティキュラ・ネットワークとを含む、２次元表示モードと３次元表示モードとの間で切り替えることができるオートステレオスコピック表示デバイス（１）であって、
レンティキュラ・ネットワークの前記組は、前記表示画面（２）の前に配置され、前記レンティキュラ変換ネットワーク（３）は、前記表示画面（２）によって送られるマトリックス・イメージを受け取り、光学的に処理し、
レンティキュラ・ネットワークの前記組は、単一のいわゆるレンティキュラ変換ネットワーク（３）を含む第１の場合と、前記表示画面（２）の前に配置された前記いわゆるレンティキュラ変換ネットワーク（３）に加えて、前記表示画面（２）と前記レンティキュラ変換ネットワーク（３）との間に配置された第２のいわゆるレンティキュラ・スイッチング・ネットワーク（４）を含み、前記レンティキュラ・スイッチング・ネットワーク（４）および前記レンティキュラ変換ネットワーク（３）のレンティキュールが向かい合って位置合せされる第２の場合とのいずれかであることを特徴とし、
このデバイスは、少なくとも前記第１の場合に前記レンティキュラ変換ネットワーク（３）と前記表示画面（２）との間の距離、そして、前記第２の場合に前記レンティキュラ変換ネットワーク（３）と前記レンティキュラ・スイッチング・ネットワーク（４）との間の距離を変更する手段（５）をも含み、
前記距離は、前記第１の場合に、前記レンティキュラ変換ネットワーク（３）の焦点距離の１倍と２倍との間で調整されることを特徴とする、オートステレオスコピック表示デバイス。
【請求項２】
前記レンティキュラ・スイッチング・ネットワークの前記レンティキュールのカバリング・パワーＣ４は、前記レンティキュラ変換ネットワークの前記レンティキュールのカバリング・パワーＣ３と反対の符号であるが同一の絶対値を有する、すなわち、Ｃ３＝−Ｃ４であることを特徴とし、前記レンティキュラ変換ネットワーク（３）と前記レンティキュラ・スイッチング・ネットワーク（４）との間の距離は、前記第２の場合に、これらのレンティキュラ・ネットワークの焦点距離の０倍と１倍との間で調整されることを特徴とする、請求項１に記載のデバイス。
【請求項３】
前記レンティキュラ・ネットワークは、前記表示画面（２）の垂直軸に関して同一の角度アルファ≧０に従って傾けられたレンティキュラ軸を有することを特徴とする、請求項１又は２に記載のデバイス。
【請求項４】
前記表示画面（２）は、電子プラズマ画面を含むことを特徴とする、請求項１乃至３のいずれか一項に記載のデバイス。
【請求項５】
前記表示画面（２）は、電子液晶（ＬＣＤ）画面を含むことを特徴とする、請求項１乃至３のいずれか一項に記載のデバイス。
【請求項６】
距離を変更する前記手段（５）は、圧電モーターを含むことを特徴とする、請求項１乃至５のいずれか一項に記載のデバイス。
【請求項７】
距離を変更する前記手段（５）は、電気モーターを含むことを特徴とする、請求項１乃至５のいずれか一項に記載のデバイス。
【請求項８】
距離を変更する前記手段（５）は、ねじ型または押しボタン型の機械的移動手段を含むことを特徴とする、請求項１乃至５のいずれか一項に記載のデバイス。
【請求項９】
前記請求項のいずれか一項に記載のデバイス内で実施される、オートステレオスコピック表示方法であって、
マトリックス表示画面（２）上で同一シーンのＰ個のショットを一体化するマトリックス・イメージを符号化するステップと、
１組のレンティキュラ・ネットワークによってマトリックス・イメージを受け取り、光学的に処理するステップと、
２次元モードと３次元モードとの間での、前記表示画面上での前記マトリックス・イメージ符号化の変化を含む、２次元表示モードと３次元表示モードとの間で切り替えるステップであって、前記表示モードの間の前記切替が、少なくとも前記第１の場合に前記レンティキュラ変換ネットワーク（３）と前記表示画面（２）との間の距離、そして前記第２の場合に前記レンティキュラ変換ネットワーク（３）と前記レンティキュラ・スイッチング・ネットワーク（４）との間の距離を変更することからなる動作を含むことを特徴とするステップと
を含む方法。
【請求項１０】
２次元表示モードと３次元表示モードとの間の前記切替は、前記第２の場合、同一の光学的空間内で前記レンティキュラ変換ネットワークの焦点面が前記レンティキュラ・スイッチング・ネットワークの焦点面に実質的に合併されるようにするための、少なくとも１つのレンティキュラ・ネットワークの移動を含む２次元表示モードに切り替えることからなることを特徴とする、請求項９に記載の方法。
【請求項１１】
２次元表示モードと３次元表示モードとの間の前記切替は、前記第２の場合、レンティキュラ変換ネットワークおよびレンティキュラ・スイッチング・ネットワークを含む光学系によって形成される焦点面が前記表示画面に実質的に合併されるようにするための、少なくとも１つのレンティキュラ・ネットワークの移動を含む３次元表示モードに切り替えることからなることを特徴とする、請求項１０に記載の方法。
【国際調査報告】
2009500649.tif 000009
2009500649.tif 000010
2009500649.tif 000011
2009500649.tif 000012
2009500649.tif 000013
2009500649.tif 000014